(57)【要約】【課題】  ハンドシャワーから吐水される湯水の流量調節を容易に操作でき、しかも散水部の向きを自在に変えられる使い勝手のよいハンドシャワーを提供する。【解決手段】  散水部と内部に流路を有するシャワー本体と、前記シャワー本体から少なくとも一部が露出し使用者の操作により回転可能な操作部と、前記操作部の回転操作により流路方向に対し移動可能な弁体と、前記流路に設けられた弁座と、を備え、前記操作部の内周または外周部と前記弁体の外周部に噛合部を設け、前記弁体を前記操作部と噛合うように配置し、前記弁体が流路方向に対し移動することにより、前記弁体と弁座の距離を調整し、前記散水部からの吐水を調整可能とした。【選択図】  図３
2006068416.tif 000002
【特許請求の範囲】
【請求項１】
散水部と内部に流路を有するシャワー本体と、前記シャワー本体から少なくとも一部が露出し使用者の操作により回転可能な操作部と、前記操作部の回転操作により流路方向に対し移動可能な弁体と、前記流路に設けられた弁座と、を備え、前記操作部の内周または外周部と前記弁体の外周部に噛合部を設け、前記弁体を前記操作部と噛合うように配置し、前記弁体が流路方向に対し移動することにより、前記弁体と弁座の距離を調整し、前記散水部からの吐水を調整可能としたことを特徴とするハンドシャワー。
【請求項２】
散水部と内部に流路を有するシャワー本体と、前記シャワー本体から少なくとも一部が露出し使用者の操作により回転可能な操作部と、前記操作部の回転操作により流路方向に対し垂直方向を回転軸として回転可能で内部に流路を有する弁体とを備え、前記操作部の操作により前記散水部からの吐水量を調節可能としたことを特徴とするハンドシャワー。
【請求項３】
前記弁体の内部に前記弁体の上流側流路と下流側流路を連通するための流路を設けたことを特徴とする請求項１記載のハンドシャワー。
【請求項４】
前記シャワー本体に嵌合するための嵌合凸部と、前記嵌合凸部外周に前記シャワー本体に対して回動自在とするための凹溝を備えた前記散水部と、前記散水部が前記シャワー本体からの脱落を防止する固定具を設け、前記散水部を前記シャワー本体に嵌合した後、前記シャワー本体を介して前記固定具を前記凹溝に係合させたことを特徴とする請求項１から３の何れか１項に記載のハンドシャワー。
【発明の詳細な説明】
【技術分野】
【０００１】
本発明は、水栓本体から供給される湯水をシャワーホースを経由して吐水するハンドシャワーに関する。
【背景技術】
【０００２】
近年ハンドシャワーは様々な形態のものが商品化されているが、シャワーを浴びる個個人の快適さの感覚や、介護を行う場合のシャワーを浴びせる部位等により、大流量から小流量まで各々の使用状況に見合った流量が容易に調節できればさらに使い勝手のよいシャワーとなりうる。この場合に水栓本体側の流量調節によりシャワーからの吐出量を調節することは可能であるが、例えば介護でシャワーを使用する場合等のように水栓本体から離れてハンドシャワーを使用する場合には、水栓本体側で流量を調節することは極めて不便である。
また、ユニットバス等の浴室全体にもデザイン性を重視した商品が求められる中、ハンドシャワーそのものにもデザイン性が求められ、さらに清掃性をも考慮すると流量調節付きのハンドシャワーにおいては流量を調節するための操作部は突起や段差が少ないものである必要がある。つまり上記の様々な要求に見合うハンドシャワーとは、ハンドシャワーを普通に握った状態で片手で容易に小流量から大流量まで流量調節ができ、しかもデザイン性、清掃性に優れたものが求められる。
【０００３】
流量調節を行なうことができるハンドシャワーの従来技術として、ハンドシャワー本体の一側面に流体の吐出量を調節する回転操作部を備えたハンドシャワーの外観斜視図が示されているものがある。しかしながら該外観斜視図内の回転操作部と流量を調節する弁体の作動とを関連付ける構成図は記載されていない。また、別に図示されている流量調節部の構成は、ハンドシャワー本体の長手方向に対して垂直方向に進退する弁体が記載されているが、この場合の弁体を作動させる操作は環状のつまみ部を前記本体の長手方向にスライドするものとなっている。（たとえば、特許文献１を参照のこと）
【０００４】
この場合、ハンドシャワー本体の一部をぐるりと取り囲む環状の流量調節部材をハンドシャワーの長手方向にスライド操作して流量調節を行うものであるが、これは明らかに片手で容易に操作できるものではなく、またデザイン性も優れた物とは言い難い。さらには流量を調節する弁体部の流路構成が、ハンドシャワー上流側入口から見て複数箇所屈曲しており流れの抵抗となり多くの吐出量が望めない。
【０００５】
他の従来技術としては、ハンドシャワーの一側面に回転体の全体を露出して備え、これを回転させることにより流量を調節できるものが記載されている。（たとえば、特許文献２を参照のこと）
【０００６】
この場合、ハンドシャワー本体の一側面に回転体を備えたものが記載されているが、ハンドシャワーを普通に握った状態では指の腹が回転体の側面にかからず、回転体を容易に回転しうるとは言い難い。また回転体の操作力を軽くするためには回転体の直径を大きくしなければならずそうなるとデザイン性が悪くなる。さらに流量を調節する弁体部の流路構成が、ハンドシャワー上流側入口から見て複数箇所屈曲しており流れの抵抗となり多くの吐出量が望めない。
【０００７】
この場合、ハンドシャワー下部のレバーにより流量を調節するものが記載されているが操作性やデザイン性が良いとは言い難い。さらには流量を調節するためにはレバーが横を向いた状態となりハンドシャワー本体から突出するため、この時に不用意に手が当たってレバーが動く可能性があり使い勝手が良いとは言い難い。
【特許文献１】特開平１１−１８８２８９号公報（第５頁、第１図、第６図）
【特許文献２】特開２００２−５１９３０号公報（第４頁、第４図）
【発明の開示】
【発明が解決しようとする課題】
【０００８】
そこで、本発明では上記の種々の問題点を解決して、ハンドシャワーから吐水される湯水の流量調節を容易に操作でき、しかも散水部の向きを自在に変えられる使い勝手のよいハンドシャワーを提供することを目的とする。
【課題を解決するための手段】
【０００９】
本発明の請求項１では、散水部と内部に流路を有するシャワー本体と、前記シャワー本体から少なくとも一部が露出し使用者の操作により回転可能な操作部と、前記操作部の回転操作により流路方向に対し移動可能な弁体と、前記流路に設けられた弁座と、を備え、前記操作部の内周または外周部と前記弁体の外周部に噛合部を設け、前記弁体を前記操作部と噛合うように配置し、前記弁体が流路方向に対し移動することにより、前記弁体と弁座の距離を調整し、前記散水部からの吐水を調整可能とした。
【００１０】
これによりハンドシャワーを片手で握った状態で、シャワー本体に設けた操作部の側面に、指の腹を自然にかけることができるため、操作部の回転操作が容易に行え簡単に流量を調節することができる。また、このような構成においては、弁体の移動距離は噛合部のピッチ寸法により決まるため、例えば使用者が細やかな流量調節を望む場合や止水状態からすぐに大流量の吐水を望む場合など、操作部の回転量に対する弁体の移動距離を任意に決めることができ、使用者の要望に応えることが容易にできる。
【００１１】
本発明の請求項２では、散水部と内部に流路を有するシャワー本体と、前記シャワー本体から少なくとも一部が露出し使用者の操作により回転可能な操作部と、前記操作部の回転操作により流路方向に対し垂直方向を回転軸として回転可能で内部に流路を有する弁体とを備え、前記操作部の操作により前記散水部からの吐水量を調節可能とした。
【００１２】
これによりハンドシャワーを片手で握った状態で、シャワー本体に設けた操作部の側面に、指の腹を自然にかけることができるため、操作部の回転操作が容易に行え簡単に流量を調節することができる。また、弁体内の流路をシャワー本体内の流路に対して貫通して迎合させることができるため、弁体の通水抵抗が非常に少なくなり、より多くの流量をシャワーから吐出させることができる。
【００１３】
本発明の請求項３では、前記弁体の内部に前記弁体の上流側流路と下流側流路を連通するための流路を設けたことを特徴とした。
【００１４】
これにより、弁体で流量の調節が行われた流体は、弁体の上流側流路から弁体に隣接する開口に進入した後、弁体内の流路を経て弁体の下流側流路に達する。つまり弁体散水部へ通じる流路を新たに設ける必要がなく、シャワー本体の内部の流路構成が簡便となり製造コストが安価となる。さらに弁体から散水部に至る流路がほぼ一本の流路で形成されるため、流れに対する抵抗が少なくなり弁体による圧力損失を抑えることができ、より多くの流量を吐水することができる。
【００１５】
本発明の請求項４では、前記シャワー本体に嵌合するための嵌合凸部と、前記嵌合凸部外周に前記シャワー本体に対して回動自在とするための凹溝を備えた前記散水部と、前記散水部が前記シャワー本体からの脱落を防止する固定具を設け、前記散水部を前記シャワー本体に嵌合した後、前記シャワー本体を介して前記固定具を前記凹溝に係合させたことを特徴とした。
【００１６】
これにより、例えば自分でシャワーを浴びる時や介護をする時等の使用する状況に応じて、流量を調節する操作部と散水部の向きを使用者の使い勝手の良い向きに散水部回転自在に設定することができるので極めてシャワーの使い勝手がよい。
【発明の効果】
【００１７】
本発明によれば、ハンドシャワーから吐水される湯水の流量調節を容易に操作でき、しかも散水部の向きを自在に変えられる使い勝手のよいハンドシャワーを提供することができる。
【発明を実施するための最良の形態】
【００１８】
以下に図面を参照して本発明を具体的に説明する。図１は本発明による第１実施形態のハンドシャワーを示す外観斜視図、図２は第１実施形態におけるハンドシャワーを分解した分解斜視図、図３は第１実施形態のハンドシャワーにおける断面側面図で吐水状態を示した図、図４は第１実施形態のハンドシャワーにおける断面側面図で止水状態を示した図である。
図１に示すように、本発明のハンドシャワー１は主としてシャワー本体２と散水部３とで構成されており、シャワー本体２の一側面から操作部４の一部が露出している。さらにハンドシャワー１を構成する部品を図２、図３を用いて説明する。
【００１９】
シャワー本体２の外郭は略円筒形状に形成されており、内部に流路２５を備えている。シャワー本体２の上流側端部には、水栓本体（図示せず）から供給される湯水がシャワーホース（図示せず）を経由して流入する流路開口孔２３が設けられ、流路２５の中途部には弁座２４及び弁室２６が設けられている。弁室２６は弁座２４の下流側に位置し、流路開口孔２３の直径よりやや大きい直径に形成されている。弁座２４は略面取り形状となっている。
さらに、弁室２６の下流側には操作部４及び弁体係止部材６を収納する空間が設けられ、空間の底部２７には弁体係止部材６の位置決めを行う位置決め孔６６が２箇所設けられている。シャワー本体２の中央部よりやや上方（弁室２６の下流側）の一側面には操作部４の一部が露出する開口窓２１が形成され、さらに、開口窓２１の上方には散水部３がシャワー本体２からの脱落を防止する固定具７を係止するための雌ねじ穴２２が設けられている。
【００２０】
弁座２４の下流側には流路２５の長手方向に進退する弁体５が配置されている。弁体５は弁座２４に接離する弁部５５と、内部に流路を形成する弁内路５６と、弁内路５６と流路２５を連通する開口孔５２を備えている。弁部５５にはＯリング等のシール性を有する部材を用い、弁座２４に接離することによって流路２５を開閉する。この弁部５５の先端は流体の圧力損失を抑制するため、流体の進入方向に対して流線形状を呈している。また弁体５の中央外周部には操作部４と噛合う噛合部が設けられているが、ここでは、噛合部は雄ねじ部５１で形成されている。雄ねじ部５１を挟む両外周には湯水が弁体５の外周部を流れないようにするためのシールリング５４が装着される。さらに弁部５５の反対側端部には弁体係止部材６に係合するための凸部５３が形成されている。
【００２１】
操作部４は中央部に開口を有する略円盤形状をなし、内周側面には弁体５の噛合部に噛合う噛合部が設けられているが、ここでは、噛合部は雌ねじ部４２で形成されている。そして、外周側面は使用者の操作を容易にするため、操作範囲または全周にスプライン部４１が形成されている。
【００２２】
弁体５の下流側に配置される弁体係止部材６は略筒状であって、その内部には弁体５の一部が挿入され、弁体５の弁内路５６と連通する流路６１と、流路６１を形成する壁面に弁体５の凸部５３が係合するための凹部６３が形成されている。
また、シャワー本体２の底部２７に対峙する弁体係止部材６の面には、シャワー本体２に取付ける際の位置決めや弁体係止部材６の回転を防止するため、２本の脚部６２を設けている。さらに散水部３側の一端部外周にはシールリング６５が装着されている。
【００２３】
弁体係止部材６の下流側には散水部３が配置され、弁体係止部材６のシールリング６５が水密状に挿入され、流路６１と連通する散水部開口孔３５を有している。散水部開口孔３５は散水部流路３４および散水口３３へ通じている。また、シャワー本体２に挿入されるガイド部３２の外周には凹溝部３１が形成されている。
【００２４】
次に、本発明のハンドシャワー１の組立方法について述べる。まず、操作部４をシャワー本体２内に挿入して開口窓２１からその一部を露出させる。次に、弁体５を操作部４に挿入して双方の噛合部である雄ねじ部５１、雌ねじ部４２を螺合させた後、操作部４が弁体５のほぼ中央部に位置するまで操作部４を回転させて弁体５を螺合推進する。ここで、弁体５に装着されたシールリング５４の外径は、操作部４の雌ねじ部４２のねじ内径よりも小さくなるように設定されている。
さらに、シールリング６５を装着した弁体係止部材６をシャワー本体２内に挿入するが、この時に弁体係止部材６の脚部６２とシャワー本体２の位置決め孔６６が一致するよう挿入し、弁体係止部材６の凹部６３と弁体５の凸部６３が係合するように組立てる。最後に、散水部３を弁体係止部材６に差込み挿入した後、固定具７をシャワー本体２の雌ねじ穴２２に挿入し、固定具７の先端が散水部３に設けた凹溝部３１に達するまで螺合し、散水部３がシャワー本体２から脱落防止を行う。しかして図１に示す形態となる。
尚、弁体５に設けた２つのシールリング５４によって操作部４への水の侵入を防ぎ、弁体係止部材６に設けたシールリング６５によって散水部３とシャワー本体２からの水漏れを防止している。
【００２５】
上記の構成による第１実施形態のハンドシャワー１の作用について説明する。操作部４は雌ねじ部４２と弁体５の雄ねじ部５１が噛合っており、弁体５の長手方向の中心軸と同一の軸を回転軸として回転が可能である。
ここで、使用者が操作部４のスプライン部４１に指を掛けて回転操作すると、その回転力は弁体５の雄ねじ部５１に伝わり弁体５をその円周方向に回転させる力が働くが、弁体５の一端部に形成された凸部５３が弁体係止部材６に形成された凹部６３に係合しているため、弁体５がその円周方向に回転することが防止される。つまり、操作部４を正逆回転させることにより、弁体５には流路方向に対する進退力のみが作用して弁部５５が弁座２４に対して接離し、流路２５を開閉する。そして、弁体５が弁座２４から離れる程、流路面積が増大し流量が増えるようになっている。
【００２６】
これらの構成により水栓本体から供給される湯水は、操作部４を回転させることで容易に流路２５の開閉や流量の調節を行うことができる。また、第１実施形態では操作部４がシャワー本体２から露出する位置をハンドシャワー１の長手方向の中央部より散水部３側に配置しているので、シャワー本体２を普通に握った場合に、親指あるいは人差し指の腹を容易に屈伸可能な状態で操作部４のスプライン部４１に接触させることができるため、指１本で操作部４を回転させることができ、極めて使い勝手良く流量の調節を行うことができる。
さらには、弁体５内に流路を設けることにより、本体内の流路２５の流れ方向と弁内路５６及び弁体係止部材６の流路６４とがほぼ一直線となり、弁体５の先端を流れに対して流線形状としていることと合いまって、流れに対する抵抗が極めて少なくなりより多くの流量をハンドシャワー１から吐水させることができる。
ここで操作部４はその一部をシャワー本体２から露出させる例を示したが、必ずしも一部を露出させる必要はなく、操作部４の外周部全体をシャワー本体２から露出させても同様な効果が得られる。
尚、本実施例では、流路２５の開閉や流量の調整を行うことができるが、流路２５の流量調整のみ（弁体５が弁座２５に着座しない）で、吐水、止水は、別途設けられている水栓本体で行い、ハンドシャワー１で行わない構造でもよい。
【００２７】
また、シャワー本体２の雌ねじ穴２２に螺合された固定具７は散水部３の嵌合凸部３２に設けた凹溝部３１に係合するようにしているが、固定具７の先端は凹溝部３１の底部に接触しないように設定しているため、散水部３は本体１の長手方向の中心軸に対して回転自在となる。
【００２８】
この構成により図１や図５で示すように使用者は流量を調節する操作部４の位置と、湯水を吐水させる散水口３３の向きとを任意に選択できる。すなわちシャワーの使用目的に応じて、例えば自分でシャワー浴を行う場合、或いは介護を行う場合等のように湯水を散水させる対象方向が異なる時には、流量操作の位置と散水の方向を任意に選択できるため、極めて使い勝手が向上する。
【００２９】
尚、弁体を流路方向に対し、進退させる方法として上記のような構成に限定されることなく、操作部４、弁体５それぞれに設ける噛合部をねじ歯車或いはウォームギア形状に形成することも可能である。
その場合、図６に示すように弁体５の中央外周部に噛合部としてのねじ歯車５７を形成する。そして、略円盤状に形成された操作部４の中央部には回転支持部４９を設け、シャワー本体２の底部２７に設けた支持孔２８及び移動補助部材６に設けた支持孔６７に回転支持部４９を取付け、回転支持部４９を回転軸として回転可能にしている。操作部４の外周側面は弁体５のねじ歯車５７と噛合う歯車部４３を形成して、操作部４の一部がシャワー本体２から露出している。
【００３０】
上記のように構成したハンドシャワー１は、使用者が操作部４の外周側面４３に指を当て回転操作すると、操作部４は支持部４９を中心に回転し、その回転力は歯車部４３を介して弁体５の噛合部であるねじ歯車５７に伝わり弁体５をその円周方向に回転させる力と流路方向に移動させる力として働く。しかし、ここでも前述と同様に弁体５の一端部に形成された凸部５３が弁体係止部材６に形成された凹部６３に係合して、流路方向にのみスライド可能としているため、弁体５がその円周方向に回転することが防止される。つまり、操作部４を正逆回転させることにより、弁体５には流路方向に対する進退力のみが作用して弁部５５が弁座２４に対して接離するものである。
【００３１】
これによりハンドシャワー１のシャワー本体２から露出した操作部４の外周側面の歯車部４３を指で回転させるだけで容易に流路２５の開閉及び、小流量から大流量までの流量の調節が可能となる。
【００３２】
また、上記の他にも操作部４と弁体５のそれぞれに設ける噛合部を交互に山谷を配置したラック形状に形成することも可能である。
この場合、図７に示すように弁体５の中央外周部の一側面に噛合部を設け、噛合部として、交互に山谷を配置したラック部５８を形成する。円盤状に形成された操作部４は、弁体５のラック部５８と噛合う噛合部としての歯車部４４を操作部４の外周側面の操作範囲または全周に形成している。そして、操作部４はシャワー本体２及び弁体５及び弁体係止部材６とに囲まれる空間に配置され、その一部を図８に示すようにシャワー本体２から露出している。
【００３３】
このような構成のハンドシャワー１は、操作部４は前述した空間内壁に隙間少なくガイドされることにより回転が可能であり、その回転軸は弁体５の長手方向に対して垂直方向である。すなわち操作部４を正逆回転させることによりその回転力は歯車４４を介して弁体５のラック部５８に作用して、弁体５は流路方向に進退し弁部５５が弁座２４に対して接離する。
【００３４】
これによりハンドシャワー１のシャワー本体２から露出した操作部４の外周側面に設けた歯車部４４を指で回転させるだけで容易に流路２５の開閉及び、小流量から大流量までの流量の調節が可能となる。
【００３５】
尚、弁体５には開口孔５２と弁内路５６を設け弁体５内に流路を形成したが、これに限定されることなく、図１３に示すように弁体５内に流路を設けず、シャワー本体２で弁座２４の下流側に流路２９を形成し、弁体係止部材６を介して散水部３から吐水することも可能である。
【００３６】
次に、操作部の操作により弁体が流路方向に対し垂直方向を回転軸として回転する第２実施形態のハンドシャワーについて説明する。図８は第２実施形態におけるハンドシャワー全体を示した外観斜視図、図９は第２実施形態におけるハンドシャワーの構成を示す断面側面図、図１０は第２実施形態における操作部と一体に形成された弁体の外観を示した外観斜視図である。
図９に示すように第２実施形態におけるハンドシャワー１は、主として、シャワー本体２と散水部３で構成されている。シャワー本体２の流路の中途部に弁体８を設け、シャワー本体２には操作部４と操作部４を位置決めする蓋８２と散水部３の抜落を防止するための固定具７が配置されている。
図１０に示すように弁体８は円柱形状を呈し、弁体８の内部には外周部を貫通する弁内路８１を設け、一方の平面端部には回転支持部８３を設けている。
操作部４は円盤状に形成され、一方の平面端部には回転支持部８３を設け、操作部４の外周側面にはスプライン部４１を備え、操作部４の一部はシャワー本体２から露出して取付けられている。
蓋８２はハンドシャワー１の外観を損なわないようにシャワー本体２に収容するものであり、蓋８２の操作部４側の平面部には操作部４を位置決めするための回転支持孔８４を備えている。また、シャワー本体２にも同様に弁体８の回転を支持するための回転支持孔８４を設けている。
そして、弁体８は操作部４の回転操作に連動するように操作部４と連結または一体で構成され、流路２５の中心軸に対して交差する垂直方向をその回転軸として回転可能に構成している。
【００３７】
このように構成された第２実施形態におけるハンドシャワー１の作用について説明する。弁体８の弁内路８１は任意の回転位置では前記流路２５を弁体８の上流側と下流側とに連通させ、また該任意の回転位置以外の回転位置では流路２５の流体の流れを塞ぐ。すなわち操作部４を正逆回転させることにより弁体８が回転し、流体が弁内路８１に流入しうる流路の開口面積を増減させることができる。また、弁体８内に弁内路８１を設けることで、本体内の流路２５の流れ方向と弁内路８１及び内筒路６４とがほぼ一直線となり流体に対する抵抗が小さくなる。
【００３８】
これにより前述の第１実施形態のハンドシャワーと同様な効果を得ることができる。すなわちハンドシャワー１のシャワー本体２から露出した操作部４のスプライン部４１を指で回転させるだけで容易に流路２５の開閉及び、小流量から大流量までの流量の調節が可能となる。
【００３９】
尚、操作部の回転操作に連動して弁体が回転する方法は上記のような方法に限定されることなく、例えば図１１、図１２に示すように、シャワー本体２には流路２５の中途部に設けた筒状で噛合部を有する弁体９とこの弁体９を回転させるための噛合部を有する操作部４を設けることで同様の効果が得られる。
弁体９は円筒形状を呈し、内部に貫通する弁内路９１及び一端部には回転支持部９３を有している。さらにこの弁体８の端部には一体または連結されて歯車部９２が配置されており、前述した回転支持部９３と同軸上に回転支持部９３を有している。
操作部４は外周側面に弁体９の歯車部９２と噛合可能な歯車部４６を有しており、その一部をシャワー本体２から露出させている。また、弁体９及び歯車部９２は流路２５の中心軸に対して交差する垂直方向をその回転軸として有しており回転が可能であり、また、操作部４はこの回転軸と並行の回転軸を有し、その外周は露出する一部を除いてシャワー本体２内に隙間少なくガイドされて配置されているため回転が可能である。
【００４０】
このように構成したハンドシャワー１は、弁体９の弁内路９１は任意の回転位置では流路２５を弁体９の上流側と下流側とに連通させ、また該任意の回転位置以外の回転位置では流路２５の流体の流れを塞ぐ。このため操作部４を正逆回転させるとその回転力は歯車部４６及び歯車部９２を介して弁体８が回転し、流体が弁内路９１に流入しうる流路の開口面積を増減させることができる。また、弁体９内に弁内路９１を設けることで、本体内の流路２５の流れ方向と弁内路９１及び散水部流路３４とがほぼ一直線となり湯水に対する抵抗が小さくなる。
【００４１】
これにより前述と同様な効果を得ることができる。すなわちハンドシャワー１のシャワー本体２から露出した操作部４の歯車部４６を指で回転させるだけで容易に流路２５の開閉及び、小流量から大流量までの流量の調節が可能となる。
【図面の簡単な説明】
【００４２】
【図１】本発明による第１実施形態のハンドシャワーを示す外観斜視図
【図２】第１実施形態のハンドシャワーを分解した分解斜視図
【図３】第１実施形態のハンドシャワーの断面側面図で吐水状態を示した図
【図４】第１実施形態のハンドシャワーの断面側面図で止水状態を示した図
【図５】本発明のハンドシャワーの散水部が回転した状態を示した外観斜視図
【図６】第１実施形態のハンドシャワーによる噛合部の他の例を示した断面側面図
【図７】第１実施形態のハンドシャワーによる噛合部の他の例を示した断面側面図
【図８】第２実施形態のハンドシャワーの外観斜視図
【図９】第２実施形態のハンドシャワーの断面側面図
【図１０】第２実施形態における操作部と一体に形成された弁体の外観を示した外観斜視図
【図１１】第２実施形態のハンドシャワーによる弁体と操作部の他の例を示した断面側面図
【図１２】第２実施形態のハンドシャワーによる弁体と操作部の他の例を示した断面平面図
【図１３】第１実施形態のハンドシャワーによる他の流路形成の例を示した断面図
【符号の説明】
【００４３】
１…ハンドシャワー  
２…シャワー本体  
３…散水部  
４…操作部  
５，８，９…弁体  
６…弁体係止部材  
７…固定具  
２１…開口窓  
２２…雌ねじ孔  
２３…流路開口孔  
２４…弁座  
２５，２９…流路  
２６…弁室  
２７…底部  
２８…支持孔  
３１…凹溝部
３２…嵌合凸部
３３…散水口  
３４…散水部流路
３５…散水部開口孔  
４１…スプライン部  
４２…雌ねじ部  
４３，４４，４６，９２…歯車部  
４７，４９，８３，９３…回転支持部  
４８…回転軸  
５１…雄ねじ部  
５２…開口孔
５３…凸部  
５４…シールリング  
５５…弁部  
５６，８１，９１…弁内路  
５７…ねじ歯車
５８…ラック部  
６１…流路  
６２…脚部  
６３…凹部  
６６…位置決め穴
６７…支持孔
８２…蓋  
８４…回転支持孔
【図１】
2006068416.tif 000003
【図２】
2006068416.tif 000004
【図３】
2006068416.tif 000005
【図４】
2006068416.tif 000006
【図５】
2006068416.tif 000007
【図６】
2006068416.tif 000008
【図７】
2006068416.tif 000009
【図８】
2006068416.tif 000010
【図９】
2006068416.tif 000011
【図１０】
2006068416.tif 000012
【図１１】
2006068416.tif 000013
【図１２】
2006068416.tif 000014
【図１３】
2006068416.tif 000015